(57)【要約】【課題】使い勝手を向上した電気掃除機を提供する。【解決手段】開閉可能な集塵蓋部９２を備えた集塵室１３を握り管部１２の下部に設ける。集塵室１３と電動送風機の吸込側の間に位置して第２のフィルタ１０１を集塵室１３に設ける。集塵室１３に集塵した塵埃を圧縮するとともに、圧縮の際に第２のフィルタ１０１に付着した塵埃を除去する圧縮手段１０５を設ける。集塵室１３に集塵した塵埃を圧縮手段１０５により圧縮する際に第２のフィルタ１０１に付着した塵埃を同時に除去でき、使い勝手を向上できる。【選択図】        図１
2004298494.tif 000002
【特許請求の範囲】
【請求項１】
電動送風機を収容した掃除機本体と、
前記電動送風機の吸込側に連通する吸込口体と、
開閉可能な蓋体を備え、前記吸込口体ないし前記電動送風機の吸込側の少なくともいずれかに設けられ、前記吸込口体から空気とともに吸い込まれる塵埃を集塵する集塵部と、
この集塵部と前記電動送風機の吸込側との間に位置して前記集塵部に設けられ、前記吸込口体から吸い込まれた塵埃を含む空気を通過させて塵埃を捕捉するフィルタと、
前記集塵部に集塵された塵埃を圧縮するとともに、この塵埃の圧縮の際に前記フィルタに付着した塵埃を除去する圧縮手段と
を具備したことを特徴とした電気掃除機。
【請求項２】
圧縮手段は、蓋体を開いた状態で集塵部に集塵された塵埃をこの集塵部の外部に排出する機能を有する
ことを特徴とした請求項１記載の電気掃除機。
【請求項３】
電動送風機を収容した掃除機本体と、
前記電動送風機の吸込側に連通する連通管と、
この連通管に連通する吸込口体と、
この吸込口体ないし前記連通管の少なくともいずれかの風路に設けられ、前記吸込口体から空気とともに吸い込まれる塵埃に直進方向の慣性力を与え、空気と塵埃とを分離する塵埃分離部と、
開閉可能な蓋体を備え、かつ前記塵埃分離部で分離された塵埃を集塵する集塵部と、
この集塵部と前記電動送風機の吸込側との間に位置して前記集塵部に設けられ、前記吸込口体から吸い込まれた塵埃を含む空気を通過させて塵埃を捕捉するフィルタと、
前記集塵部の内側面に沿った形状を有する圧縮部、および、この圧縮部に連結しかつ前記集塵部の外部に突出して設けられ、前記圧縮部を前記集塵部の蓋体に向けて摺動可能にするつまみ部を備えた圧縮手段と
を具備したことを特徴とした電気掃除機。
【発明の詳細な説明】
【０００１】
【発明の属する技術分野】
本発明は、集塵部に集塵された塵埃を圧縮する圧縮手段を備えた電気掃除機に関する。
【０００２】
【従来の技術】
従来、この種の電気掃除機は、電動送風機を収容した掃除機本体を備えている。この掃除機本体内には、電動送風機の吸込側に連通した集塵部としての集塵室が設けられている。この集塵室には、ホース体、延長管および吸込口体としての床ブラシが順次連通接続される。また、集塵室内には、床ブラシから空気とともに吸い込んだ塵埃を通過させて塵埃を空気から除去するフィルタが取り付けられている。さらに、集塵室内には、この集塵室内に集塵された塵埃を圧縮する圧縮手段が設けられている。この圧縮手段は、集塵室に対して移動可能な圧縮板を備えている。この圧縮板には、掃除機本体の外部に突出したつまみ部が設けられている。そして、このつまみ部を押すことで、圧縮板により集塵室内の塵埃が圧縮される（例えば、特許文献１参照。）。
【０００３】
【特許文献１】
特公昭６０−８８１４号公報（第２頁、第１図）
【０００４】
【発明が解決しようとする課題】
しかしながら、上述の電気掃除機では、集塵室内のフィルタが塵埃により目詰まりなどした際に、このフィルタを集塵室から取り外して塵埃を除去しなければならず、使い勝手が良好でないという問題点を有している。
【０００５】
本発明はこのような点に鑑みなされたもので、使い勝手を向上した電気掃除機を提供することを目的とする。
【０００６】
【課題を解決するための手段】
本発明は、開閉可能な蓋体を備え、吸込口体ないし電動送風機の吸込側の少なくともいずれかに設けられ、吸込口体から空気とともに吸い込まれる塵埃を集塵する集塵部と、この集塵部と電動送風機の吸込側との間に位置して集塵部に設けられ、吸込口体から吸い込まれた塵埃を含む空気を通過させて塵埃を捕捉するフィルタと、集塵部に集塵された塵埃を圧縮するとともに、この塵埃の圧縮の際にフィルタに付着した塵埃を除去する圧縮手段とを具備したものである。そして、集塵部に集塵された塵埃を圧縮手段により圧縮することで、塵埃の圧縮の際にフィルタに付着した塵埃を同時に除去でき、使い勝手を向上できる。
【０００７】
また、本発明は、吸込口体ないし連通管の少なくともいずれかの風路に設けられ、吸込口体から空気とともに吸い込まれる塵埃に直進方向の慣性力を与え、空気と塵埃とを分離する塵埃分離部と、塵埃分離部で分離された塵埃を集塵する集塵部と、集塵部の内側面に沿った形状を有する圧縮部、および、この圧縮部に連結しかつ集塵部の外部に突出して設けられ、圧縮部を集塵部の蓋体に向けて摺動可能にするつまみ部を備えた圧縮手段とを具備したものである。そして、塵埃分離部で分離され集塵部に集塵された塵埃を圧縮手段のつまみ部にて圧縮部を集塵部の蓋体に向けて摺動させて圧縮することで、塵埃の圧縮の際に圧縮部がフィルタに接触してフィルタに付着した塵埃を同時に除去でき、使い勝手を向上できる。
【０００８】
【発明の実施の形態】
以下、本発明の一実施の形態の電気掃除機の構成を図面を参照して説明する。
【０００９】
図５において、１は掃除機本体であり、この掃除機本体１は床面を走行可能である。また、この掃除機本体１は、ケース体２と、このケース体２の上部に後部が連結して回動により上部を開放可能に覆って取り付けられる蓋体３とを備えた本体ケース４を有している。
【００１０】
本体ケース４内のケース体２の前側下部には、前方に向けて本体吸込口９が開口されている。また、この本体吸込口９には、連結管としての可撓性を有する伸縮管である蛇腹状のホース体１１の排気側、すなわち基端側が着脱可能に連通接続される。このホース体１１の吸気側である先端側には、操作部としての手許操作部である筒状の握り管部１２が設けられている。この握り管部１２の下部には、集塵部としての略筒状の集塵室１３が着脱可能に取り付けられている。さらに、握り管部１２の吸気側である先端側には、伸縮可能な接続管としての直線状の延長管１４を介して吸込口体としてのノズル体である床ブラシ１５が着脱可能に連通されて接続される。
【００１１】
ここで、本体ケース４内には、電動送風機１６が、本体ケース４の前後方向の中心域よりも若干後側に偏位して収容されている。この電動送風機１６の前側である吸込側は、本体吸込口９を介してホース体１１、握り管部１２および床ブラシ１５のそれぞれの排気側である基端側に連通している。すなわち、ホース体１１は一端側である先端側が床ブラシ１５に連通し、他端側である基端側が電動送風機１６の吸込側に連通する。また、床ブラシ１５は、電動送風機１６の吸込側に連通する。そして、本体吸込口９と電動送風機１６の吸込側との間には、床ブラシ１５から空気とともに吸い込んだ微細な塵埃、すなわち細塵を分離する図示しないフィルタ体が、図示しない細塵用集塵室内に着脱可能に取り付けられている。
【００１２】
また、握り管部１２は、図１ないし図３に示すように、略円筒状の前側部２１を先端側に備え、この前側部２１の軸方向に対して鈍角状に軸方向を有する略円筒状の後側部２２を基端側に備えている。そして、この後側部２２の前側部２１と反対側の端部、すなわち後側部２２の基端側には、ホース体１１の先端側に接続される接続部となる円筒状の摺動部２３が後側部２２に対して周方向に摺動可能に接続されている。これら前側部２１、後側部２２および摺動部２３により、握り管部１２は、側面視で略への字状に、すなわち鈍角状に屈曲されている。
【００１３】
前側部２１は、延長管１４の基端側が挿入されて着脱可能に連通接続される吸入口２６を先端側に備え、この吸入口２６には、直線状に設けられた風路部２７が連通している。
【００１４】
また、前側部２１内には、風路部２７の基端側に位置した管部３３と、この管部３３に連通接続された突当て部としての連通管３４とが設けられている。
【００１５】
管部３３は、風路部２７の排気側である基端側に連通し、先端側である風路部２７側から基端側である連通管３４側に向けて縮径された略円筒状に形成されている。また、管部３３の周壁には、この周壁を管部３３の径方向に貫通する開口３５が複数、例えば４つ設けられている。これら開口３５は、管部３３の周方向に略等角度に互いに離間されている。そして、これら開口３５には、ネット状の第１のフィルタ３６が取り付けられている。
【００１６】
さらに、前側部２１内の管部３３の周囲は、後側部２２の先端側に連通する風路としての連通風路３７となっている。この連通風路３７は、開口３５および第１のフィルタ３６を介して管部３３の内部と連通している。したがって、前側部２１は、管部３３と連通風路３７とにより、一部が二重管構造に形成されている。
【００１７】
またさらに、管部３３の基端側には、図２に示すように、連通口３８が、この管部３３を貫通して設けられ、連通管３４の先端側と連通している。
【００１８】
連通管３４は、図１および図２に示すように、側面視で下側に向けて約９０°屈曲したＬ字状のパイプであり、連通口３８と反対側の端部が、前側部２１と後側部２２との隣接部に穿設された円形状の下部連通口３９に連通接続されている。したがって、連通管３４は、握り管部１２の外部と連通している。また、下部連通口３９の内周縁部には、可撓性を有するシール部としてのパッキン４１が全周に亘って取り付けられている。
【００１９】
そして、風路部２７、管部３３、連通管３４、開口３５および第１のフィルタ３６などにより、床ブラシ１５から空気とともに吸い込んだ塵埃に直進方向の慣性力を与えて空気と塵埃とを分離する塵埃分離部４２が構成されている。したがって、塵埃分離部４２は、握り管部１２内に設けられている。
【００２０】
また、前側部２１は、作業者が把持することで握り管部１２により床ブラシ１５を操作可能にする把持部４３を後側部２２側の外周面に備えている。この把持部４３は、前側部２１の基端側に設けられており、この前側部２１の基端側に突出し、摺動部２３の基端側の上方に亘って下方に湾曲している。そして、この把持部４３には、図５に示すように、電動送風機１６の駆動状態などを設定する設定ボタン４４が複数設けられている。
【００２１】
さらに、後側部２２内には、図１および図２に示すように、直線円筒状、すなわちパイプ状の通路部４５が収容されている。この通路部４５は、先端側である前側部２１側の端部が、この前側部２１と同軸状に開口し、かつ基端側である摺動部２３側の端部が後側部２２と同軸状に開口するとともに摺動部２３内にまで延設されている。
【００２２】
そして、後側部２２の外周面の上側の前側部２１側である把持部４３の下方には、取付孔４６が穿設されている。また、通路部４５の外周面における取付孔４６に対向する部分には、この取付孔４６と同軸状に貫通取付孔４７が穿設されている。
【００２３】
またさらに、取付孔４６および貫通取付孔４７には、弁体としてのリーク弁５３が挿入されて取付孔４６および貫通取付孔４７の周方向に沿って回動可能に取り付けられている。
【００２４】
後側部２２の外周面の下側には、略矩形状の通気開口としての開口部８４が穿設されている。この開口部８４は、通路部４５の外周面の下側まで貫通して設けられ、集塵室１３を握り管部１２の下部に取り付けた状態で集塵室１３の基端側に対して気密になるように連通接続される。この開口部８４の縁部の先端側の側方には、図４に示すように、複数の爪状の固定部８５が突出して一体に設けられている。
【００２５】
また、開口部８４の内周縁部には、図１および図２に示すように、可撓性を有するシール部としての開口パッキン８６が開口部８４の全周に亘って取り付けられている。
【００２６】
一方、集塵室１３は、握り管部１２の後側部２２の軸方向に略平行な直線状の軸方向を有する略円筒状に形成され、握り管部１２の下部における前側部２１と後側部２２との隣接部近傍、すなわち握り管部１２の狭角部側のスペースに着脱可能に取り付けられている。この集塵室１３は、一般的な作業者が片手で把持可能な程度の大きさを有している。また、集塵室１３は、略円筒状の集塵室本体９１を備え、この集塵室本体９１の一端側の開口には、蓋体としての集塵室底蓋である集塵蓋部９２が開閉可能に取り付けられている。
【００２７】
集塵室本体９１は、図３に示すように、握り管部１２の下部に取り付けられた状態で上側に位置する上部本体９３と、この上部本体９３の下側に位置する下部本体９４とを有している。
【００２８】
上部本体９３は、図４に示すように、下部本体９４の上端部の両側に沿ってそれぞれ設けられ、集塵室１３の一端側である先端側よりの位置が互いに連結されて平面視略Ｈ字状に形成されている。また、上部本体９３は、集塵室１３を握り管部１２の下部に取り付けた状態で握り管部１２の前側部２１と後側部２２との隣接部の近傍に位置する。
【００２９】
また、下部本体９４は、図２および図３に示すように、下方に湾曲した断面半円形状に形成されている。このため、下部本体９４内には、塵埃分離部４２にて分離された塵埃が収容される断面半円形状の塵埃収容部９５が集塵室本体９１内に形成されている。
【００３０】
また、この下部本体９４の上端部には、図１および図２に示すように、矩形状の集塵室連通孔９８が穿設されている。この集塵室連通孔９８は、下部本体９４の軸方向の他端側である基端側に設けられている。したがって、この集塵室連通孔９８は、集塵室１３を握り管部１２の下部に取り付けた状態で、開口パッキン８６により開口部８４に気密になるように連通する。そして、集塵室連通孔９８には、この集塵室連通孔９８の全面を閉塞してフィルタとしての第２のフィルタ１０１が取り付けられている。したがって、第２のフィルタ１０１は、集塵室１３と電動送風機１６の吸込側との間に位置している。
【００３１】
またさらに、下部本体９４の軸方向の一端側である先端側には、円形状の集塵室通気孔１０３が穿設されている。この集塵室通気孔１０３は、握り管部１２の下部連通口３９と略等しい径寸法を有しており、集塵室１３を握り管部１２の下部に取り付けた際に、パッキン４１により下部連通口３９に対して気密になるように連通する。言い換えると、塵埃分離部４２と集塵室１３とは、下部連通口３９および集塵室通気孔１０３により互いに連通している。
【００３２】
また、下部本体９４の下端部、すなわち上部本体９３と反対側には、図２に示すように、軸方向に沿って長孔状のスリット１０４が形成されている。このスリット１０４は、図１および図２に示すように、下部本体９４の先端部の近傍から基端部の近傍に亘って直線状に形成されている。さらに、スリット１０４には、このスリット１０４を気密な状態に保持してスリット１０４から集塵室１３内の空気、あるいは塵埃などが外部に漏れることなどを防止する図示しない機構が設けられている。
【００３３】
またさらに、スリット１０４には、圧縮手段１０５が取り付けられている。この圧縮手段１０５は、つまみ部としてのスライドバー１０６を備えている。このスライドバー１０６は、スリット１０４に沿って摺動可能にこのスリット１０４に挿通されて取り付けられている。
【００３４】
さらに、スライドバー１０６には、圧縮部としてのプレート１０７が連結されて取り付けられて一体になっている。このプレート１０７は、スライドバー１０６に取り付けられる取付部１０８およびこの取付部１０８と一体に設けられた板状の本体部１０９を備えている。
【００３５】
取付部１０８は、下部本体９４の下端部のスリット１０４に沿って本体部１０９から屈曲されている。また、本体部１０９は、上部本体９３および下部本体９４の内側面、すなわち塵埃収容部９５の内側面、すなわち断面形状に沿った外形形状を有している。このため、本体部１０９は、塵埃収容部９５の内側面に対して外側面が略隙間なく設けられている。さらに、本体部１０９は、集塵室１３の軸方向に交差する方向に沿って、集塵室１３の先端側から基端側に向けて上側が傾斜するように設けられている。すなわち、プレート１０７は、取付部１０８および本体部１０９により、側面視で略く字状に屈曲されている。したがって、プレート１０７は、スライドバー１０６をスリット１０４に沿って摺動させた際に、集塵室１３内である塵埃収容部９５の内側面に対して外側面が軸方向に沿って集塵蓋部９２に向けて摺動する。
【００３６】
また、本体部１０９の先端側、すなわち取付部１０８と反対側の端部には、掻取部１０９ａがこの本体部１０９と一体に設けられている。この掻取部１０９ａは、プレート１０７を摺動させた際に第２のフィルタ１０１の集塵室１３側の表面に当接する。さらに、本体部１０９の中心部には、円形状の貫通孔１１０が穿設されている。この貫通孔１１０は、プレート１０７を集塵室１３の先端に位置させた際に集塵室通気孔１０３に連通する。
【００３７】
そして、上部本体９３と下部本体９４との隣接部の軸方向の中心域には、図３および図４に示すように、握り管部１２の固定部８５に対して係脱される矩形状の一対の脱着ボタン１１１が設けられている。この脱着ボタン１１１は、集塵室１３の集塵室本体９１の軸方向に沿って所定距離だけ摺動すなわちスライド可能に取り付けられている。この脱着ボタン１１１は、スライドにより固定部８５に対して係合が外れることで握り管部１２から集塵室１３を取り外し可能にする。
【００３８】
集塵蓋部９２は、円形キャップ状に形成され、集塵室本体９１に対して閉じた際に、集塵室本体９１の基端側の開口を閉塞する。また、この集塵蓋部９２には、集塵蓋部９２を集塵室本体９１に対して固定および開放する開閉クランプ１１６が嵌合して取り付けられている。
【００３９】
次に、上記一実施の形態の掃除動作を説明する。
【００４０】
まず、本体吸込口９にホース体１１の基端を連通接続させるとともに、先端に床ブラシ１５が連通接続された延長管１４の基端を、ホース体１１の握り管部１２の吸入口２６に連通接続させ、集塵室１３を握り管部１２の下部に取り付ける。
【００４１】
この後、握り管部１２の把持部４３を把持しつつ、この把持部４３の所定の設定ボタン４４をオンして本体ケース４内の電動送風機１６を駆動させる。
【００４２】
そして、作業者は把持部４３を把持し、床ブラシ１５を前後方向に向けて操作して掃除する。
【００４３】
このとき、電動送風機１６の駆動により、床面上の塵埃が床ブラシ１５から空気とともに吸い込まれる。
【００４４】
この床ブラシ１５から吸い込まれた空気は吸込風となり、塵埃とともに延長管１４および風路部２７を直線状に通過し、握り管部１２の前側部２１の管部３３内に流入する。
【００４５】
管部３３内に流入した吸込風は、第１のフィルタ３６を通過して開口３５から通気風路３７へと流入する。このとき、吸込風に含まれる微細な塵埃は、第１のフィルタ３６により吸込風から分離される。この後、この吸込風は、握り管部１２の後側部２２内の通路部４５内を通過して、ホース体１１内へと流入し本体吸込口９から本体ケース４内に流入する。
【００４６】
一方、所定以上の質量がある塵埃、すなわち比較的大きい塵埃は、吸込風により直進方向の慣性力が与えられた状態で管部３３内に流入し、この慣性力により延長管１４と同軸状に管部３３内を直線状に移動して連通口３８を介して連通管３４に流入し、この連通管３４の屈曲部に突き当たって下部連通口３９および集塵室通気孔１０３を介して集塵室１３内に導入される。
【００４７】
この結果、床ブラシ１５から空気とともに吸い込んだ塵埃が、慣性力により塵埃分離部４２にて塵埃と空気とに分離、すなわち慣性分離される。
【００４８】
集塵室１３内に導入された塵埃は、集塵室１３内である塵埃収容部９５に収容される。
【００４９】
さらに、通路部４５内を通過する吸込風により、通路部４５が塵埃収容部９５よりも負圧となり、集塵室連通孔９８および開口部８４から塵埃収容部９５の空気が第２のフィルタ１０１を介して通路部４５内へと引き込まれ、塵埃収容部９５にも集塵室通気孔１０３から集塵室連通孔９８へと向かう空気の流れが形成される。
【００５０】
このとき、塵埃を含む吸込風が第２のフィルタ１０１を通過することで、この第２のフィルタ１０１により塵埃が捕捉される。
【００５１】
そして、本体ケース４内に流入した吸込風は、細塵用集塵室の細塵用フィルタを通過してこの吸込風に残留した細塵を分離された後、電動送風機１６を通過して排気風となり、図示しない排気孔から本体ケース４の外部に排気される。
【００５２】
ここで、塵埃収容部９５に収容された塵埃が所定量以上となった場合には、図１の二点鎖線に示すように、作業者がスライドバー１０６をつまんで集塵室１３の軸方向に数回に亘って往復して摺動させることで、プレート１０７が塵埃収容部９５を隙間なく軸方向に摺動し、塵埃収容部９５の塵埃を集塵蓋部９２側に掻き集めて圧縮する。
【００５３】
この結果、塵埃収容部９５の塵埃により塵埃塊Ｄが形成される。
【００５４】
同時に、プレート１０７の掻取部１０９ａが第２のフィルタ１０１の集塵室１３側の主面に接触して表面の塵埃を掻き取って剥離させて集塵することで、第２のフィルタ１０１を除去して掃除、すなわちクリーニングする。
【００５５】
そして、塵埃塊Ｄを廃棄する際には、図４に示すように、脱着ボタン１１１を操作して集塵室１３を握り管部１２から取り外し、集塵蓋部９２を開けた状態で、スライドバー１０６を集塵蓋部９２側に摺動させ、塵埃収容部９５の塵埃塊Ｄをプレート１０７で集塵室１３の外部に押し出して図示しないごみ箱などに廃棄し、スライドバー１０６の位置を元に戻すとともに集塵蓋部９２を閉じて集塵室１３を握り管部１２に再び取り付けて使用する。
【００５６】
上述したように、上記一実施の形態では、開閉可能な集塵蓋部９２を備えた集塵室１３を握り管部１２の下部に設け、この集塵室１３と電動送風機１６の吸込側との間に位置して第２のフィルタ１０１を集塵室１３に設け、かつ集塵室１３内にこの集塵室１３の軸方向に交差する方向に設けた集塵室１３の内側面に沿った形状を有するプレート１０７を、このプレート１０７に連結しかつ集塵室１３の外部に突出したスライドバー１０６にてプレート１０７を集塵室１３の集塵蓋部９２に向けて摺動させることでこの集塵室１３の塵埃収容部９５に集塵された塵埃を圧縮するとともに、この圧縮の際に第２のフィルタ１０１に付着した塵埃を除去する圧縮手段１０５を設ける構成とした。
【００５７】
このため、塵埃収容部９５に集塵された塵埃を圧縮手段１０５により圧縮する際にプレート１０７の掻取部１０９ａにて第２のフィルタ１０１に付着した塵埃を同時に除去でき、使い勝手を向上できる。
【００５８】
また、塵埃収容部９５に集塵されて溜まった塵埃を圧縮手段１０５により圧縮することで、塵埃収容部９５の容積を効率よく利用して集塵容積を大きくすることができるとともに、集塵室１３を必要以上に大きくせずに済み、電気掃除機全体として小型化できる。
【００５９】
さらに、集塵蓋部９２を開けた状態で塵埃収容部９５の塵埃塊Ｄをプレート１０７により集塵室１３の外部に押し出して排出することができるので、塵埃収容部９５に集塵された塵埃に作業者が直接触れるなどして手を汚すことなく、この塵埃を容易に集塵室１３の外部に掻き出すことができる。
【００６０】
そして、圧縮手段１０５を、スライドバー１０６とプレート１０７とで構成した比較的簡単な構造とすることにより、製造性を向上できるとともに、圧縮手段１０５を容易に操作できる。
【００６１】
また、集塵室１３内の塵埃を圧縮する動作と第２のフィルタ１０１に付着した塵埃を掻き取って除去する動作とを同時にできるため、集塵室１３内の塵埃を圧縮して圧縮手段１０５のプレート１０７を元の位置に戻す際には、掻取部１０９ａが第２のフィルタ１０１に接触しても第２のフィルタ１０１に付着した塵埃は既に除去済みであるから、プレート１０７と集塵室１３との間に塵埃が入り込むことを防止できる。
【００６２】
なお、上記一実施の形態において、貫通孔１１０に、集塵室１３から塵埃分離部４２への吸込風の逆流を防止する逆止弁を設けてもよい。
【００６３】
また、圧縮手段１０５は、集塵室１３の基端側から先端側に向けて付勢された状態で集塵室１３に設けてもよい。この場合には、スライドバー１０６を集塵蓋部９２に向けて摺動させた後に、圧縮手段１０５が自動的に元の位置に復帰するので、使い勝手をより向上できる。
【００６４】
さらに、集塵室１３は、握り管部１２の下部だけでなく、床ブラシ１５、延長管１４、握り管部１２およびホース体１１など、床ブラシ１５の先端からホース体１１の基端までの風路、すなわち床ブラシ１５ないしホース体１１の少なくともいずれかの位置に設けることが可能である。
【００６５】
またさらに、集塵室１３を複数個設けて集塵効率を向上してもよい。
【００６６】
そして、圧縮手段１０５は、塵埃収容部９５で塵埃を圧縮する際に第２のフィルタ１０１を掃除できる構成であれば、上記構成以外の構成も可能である。
【００６７】
【発明の効果】
本発明によれば、集塵部に集塵された塵埃を圧縮手段により圧縮する際にフィルタに付着した塵埃を同時に除去でき、使い勝手を向上できる。
【００６８】
また、本発明によれば、塵埃分離部で分離され集塵部に集塵された塵埃を圧縮手段のつまみ部にて圧縮部を集塵部の蓋体に向けて摺動させて圧縮することで、塵埃の圧縮の際に圧縮部がフィルタに接触してフィルタに付着した塵埃を同時に除去でき、使い勝手を向上できる。
【図面の簡単な説明】
【図１】本発明の一実施の形態の電気掃除機の一部を示す側面断面図である。
【図２】同上電気掃除機の一部を示す断面斜視図である。
【図３】同上電気掃除機の一部を示す斜視図である。
【図４】同上電気掃除機の一部を示す側面図である。
【図５】同上電気掃除機を示す斜視図である。
【符号の説明】
１    掃除機本体
１１    連通管としてのホース体
１３    集塵部としての集塵室
１５    吸込口体としての床ブラシ
１６    電動送風機
４２    塵埃分離部
９２    蓋体としての集塵蓋部
１０１    フィルタとしての第２のフィルタ
１０５    圧縮手段
１０６    つまみ部としてのスライドバー
１０７    圧縮部としてのプレート
【図１】
2004298494.tif 000003
【図２】
2004298494.tif 000004
【図３】
2004298494.tif 000005
【図４】
2004298494.tif 000006
【図５】
2004298494.tif 000007